(57)【要約】【課題】操作に関するユーザビリティが向上する口腔洗浄装置１を提供する。【解決手段】口腔洗浄装置１は洗浄液を吐出するポンプ３１を含む本体ユニット１０、吐出された洗浄液が流れるように本体ユニット１０と接続されるチューブ８０、および、洗浄液を吐出できるようにチューブ８０と接続される洗浄ユニット１００を含む。口腔洗浄装置１は、洗浄ユニット１００に設けられる第１操作部１１０、第１操作部１１０の操作に応じてポンプ３１を制御する制御部３３、および、第１操作部１１０と制御部３３とを通信接続する通信部１３０をさらに含む。【選択図】図２
2020114546.tif 000002
【特許請求の範囲】
【請求項１】
洗浄液を吐出するポンプを含む本体ユニットと、
吐出された前記洗浄液が流れるように前記本体ユニットと接続されるチューブと、
前記洗浄液を吐出できるように前記チューブと接続される洗浄ユニットと、
前記洗浄ユニットに設けられる第１操作部と、
前記第１操作部の操作に応じて前記ポンプを制御する制御部と、
前記第１操作部と前記制御部とを通信接続する通信部とを含み、
前記通信部は、前記第１操作部の操作に応じた無線信号を送信できるように前記洗浄ユニットに設けられる第１無線通信部と、前記無線信号を受信できるように前記本体ユニットに設けられる第２無線通信部とを含み、
前記制御部は前記第２無線通信部が受信した前記無線信号に応じて前記ポンプを制御し、前記第１無線通信部と前記第２無線通信部との通信が悪い場合、前記ポンプの動作を停止する
口腔洗浄装置。
【請求項２】
前記洗浄ユニットは前記第１無線通信部に電力を供給可能な電源をさらに含む
請求項１に記載の口腔洗浄装置。
【請求項３】
前記洗浄ユニットは前記第１操作部の操作に応じた情報を表示する表示部をさらに含む
請求項１または２に記載の口腔洗浄装置。
【請求項４】
前記洗浄ユニットは非接触電力伝送システムを構成する受電部をさらに含む
請求項１〜３のいずれか一項に記載の口腔洗浄装置。
【請求項５】
前記本体ユニットは前記ポンプの動作を選択するための第２操作部をさらに含む
請求項１〜４のいずれか一項に記載の口腔洗浄装置。
【請求項６】
前記洗浄ユニットはグリップ部を含み、
前記第１無線通信部は前記グリップ部の端部または前記グリップ部における前記端部寄りの部分に設けられる
請求項１〜５のいずれか一項に記載の口腔洗浄装置。
【発明の詳細な説明】
【技術分野】
【０００１】
本開示は洗浄液により口腔内を洗浄する口腔洗浄装置に関する。
【背景技術】
【０００２】
従来の口腔洗浄装置の一例として、洗浄液を貯留するタンクおよび洗浄液を吐出するポンプを含む本体ユニットと、ポンプにより吐出された洗浄液が流れるように本体ユニットと接続されるチューブと、チューブから供給された洗浄液を吐出する洗浄ユニットとを含む口腔洗浄装置がよく知られている。本体ユニットは電源のオンおよびオフを切り替えるための第１操作部、ならびに、ポンプにより吐出される洗浄液の水圧を調節するための第２操作部を含む。ユーザは第１操作部を操作することにより本体ユニットの電源の状態を選択でき、第２操作部を操作することにより洗浄ユニットから吐出される洗浄液の水圧を調節できる。特許文献１は従来の口腔洗浄装置の一例を開示している。
【先行技術文献】
【特許文献】
【０００３】
【特許文献１】特開２０１５−２１７１７４号公報
【発明の概要】
【発明が解決しようとする課題】
【０００４】
ユーザが片手で洗浄ユニットを持ちながら、その洗浄ユニットから吐出される洗浄液により口腔内を洗浄している場合、本体ユニットの操作部を操作しにくい。
【課題を解決するための手段】
【０００５】
本開示の口腔洗浄装置は洗浄液を吐出するポンプを含む本体ユニットと、吐出された前記洗浄液が流れるように前記本体ユニットと接続されるチューブと、前記洗浄液を吐出できるように前記チューブと接続される洗浄ユニットと、前記洗浄ユニットに設けられる第１操作部と、前記第１操作部の操作に応じて前記ポンプを制御する制御部と、前記第１操作部と前記制御部とを通信接続する通信部とを含み、前記通信部は、前記第１操作部の操作に応じた無線信号を送信できるように前記洗浄ユニットに設けられる第１無線通信部と、前記無線信号を受信できるように前記本体ユニットに設けられる第２無線通信部とを含み、前記制御部は前記第２無線通信部が受信した前記無線信号に応じて前記ポンプを制御し、前記第１無線通信部と前記第２無線通信部との通信が悪い場合、前記ポンプの動作を停止する。
【発明の効果】
【０００６】
本開示に関する口腔洗浄装置によれば、操作に関するユーザビリティが向上する。
【図面の簡単な説明】
【０００７】
【図１】実施の形態の口腔洗浄装置の斜視図。
【図２】図１の口腔洗浄装置の内部の構成を示す模式図。
【発明を実施するための形態】
【０００８】
（口腔洗浄装置が取り得る形態の一例）
〔１〕本開示に関する口腔洗浄装置の一形態は、洗浄液を吐出するポンプを含む本体ユニットと、吐出された前記洗浄液が流れるように前記本体ユニットと接続されるチューブと、前記洗浄液を吐出できるように前記チューブと接続される洗浄ユニットと、前記洗浄ユニットに設けられる第１操作部と、前記第１操作部の操作に応じて前記ポンプを制御する制御部と、前記第１操作部と前記制御部とを通信接続する通信部とを含む。ポンプを操作できる第１操作部が洗浄ユニットに設けられるため、洗浄ユニットにより口腔内を洗浄しているときに洗浄ユニットから吐出される洗浄液の水圧等を容易に調整できる。
【０００９】
〔２〕前記口腔洗浄装置の一例によれば、前記通信部は前記第１操作部の操作に応じた無線信号を送信できるように前記洗浄ユニットに設けられる第１無線通信部と、前記無線信号を受信できるように前記本体ユニットに設けられる第２無線通信部とを含み、前記制御部は前記第２無線通信部が受信した前記無線信号に応じて前記ポンプを制御する。このため、洗浄ユニットと本体ユニットとを通信線により接続しなくても洗浄ユニットと本体ユニットとの間で通信でき、口腔洗浄装置における配線に関連する構成を簡素化できる。
【００１０】
〔３〕前記口腔洗浄装置の一例によれば、前記洗浄ユニットは前記第１無線通信部に電力を供給可能な電源をさらに含む。このため、洗浄ユニットと外部電源とを電力線により接続しなくても第１無線通信部を動作させることができ、口腔洗浄装置における配線に関連する構成を簡素化できる。
【００１１】
〔４〕前記口腔洗浄装置の一例によれば、前記洗浄ユニットは前記第１操作部の操作に応じた情報を表示する表示部をさらに含む。このため、ユーザは第１操作部の操作により口腔洗浄装置の動作状態がどのように変化したかを容易に認識できる。
【００１２】
〔５〕前記口腔洗浄装置の一例によれば、前記洗浄ユニットは非接触電力伝送システムを構成する受電部をさらに含む。このため、洗浄ユニットと外部電源とを電力線により接続しなくても通信部を動作させることができ、口腔洗浄装置における配線に関連する構成を簡素化できる。
【００１３】
〔６〕前記口腔洗浄装置の一例によれば、前記本体ユニットは前記ポンプの動作を選択するための第２操作部をさらに含む。洗浄ユニットおよび本体ユニットのそれぞれにポンプを操作するための操作部が設けられるため、操作性が向上する。
【００１４】
〔７〕前記口腔洗浄装置の一例によれば、前記制御部は前記第１無線通信部と前記第２無線通信部との通信が悪い場合、前記ポンプの動作を停止する。洗浄ユニットの第１操作部の操作がポンプの動作に正確に反映されないおそれがある場合にポンプの動作が停止するため、ユーザが意図しない圧力の洗浄液が洗浄ユニットから吐出される状況が生じにくい。
【００１５】
〔８〕前記口腔洗浄装置の一例によれば、前記洗浄ユニットはグリップ部を含み、前記第１無線通信部は前記グリップ部の端部または前記グリップ部における前記端部寄りの部分に設けられる。このため、第１無線通信部と第２無線通信部とが良好な通信状態を維持しやすい。
【００１６】
（実施の形態）
図１は口腔洗浄装置１の外観である。口腔洗浄装置１は口腔内の洗浄に用いられ、主として口腔内の歯および歯茎の洗浄に用いられる。口腔洗浄装置１は例えば洗面台（図示略）等の平坦な設置面に設置して使用される。口腔洗浄装置１は商用電源等の外部電源（図示略）から供給される電力により駆動し、口腔内に洗浄液を吐出する。洗浄液の一例は洗浄剤が混ぜられた上水、または、上水である。
【００１７】
口腔洗浄装置１は本体ユニット１０、チューブ８０、洗浄ユニット１００、および、電源コードＰＣを含む。本体ユニット１０の形状は楕円柱体または略楕円柱体であることが好ましい。一例では、本体ユニット１０の形状は楕円柱体である。楕円柱体は平面視が円である円柱体を含む。本体ユニット１０は装置本体２０およびタンク７０を含む。タンク７０の機能は洗浄液を貯留することである。タンク７０は例えば装置本体２０に着脱可能に設けられる。
【００１８】
装置本体２０は口腔洗浄装置１を駆動するための各種の要素を収容している。装置本体２０はハウジング２１、ポンプ３１、モータ（図示略）、および、本体回路３２を含む（図２参照）。ポンプ３１、モータ、および、本体回路３２はハウジング２１内に収容されている。ポンプ３１の機能はタンク７０に貯留された洗浄液を吐出することである。モータの機能はポンプ３１を駆動することである。本体回路３２は制御部３３および電源回路３４を含む（図２参照）。制御部３３の機能はポンプ３１を制御することである。電源回路３４の機能は口腔洗浄装置１を構成する電気的な要素に電力を供給することである。口腔洗浄装置１を構成する電気的な要素はモータおよび制御部３３等を含む。電源コードＰＣは電源回路３４と電気的に接続されている。電源コードＰＣのプラグＰＧが外部電源に接続されることにより、外部電源の電力が電源回路３４に供給される。
【００１９】
チューブ８０はポンプ３１により吐出された洗浄液が流れるように本体ユニット１０と接続されている。洗浄ユニット１００は洗浄液を吐出できるようにチューブ８０と接続されている。洗浄ユニット１００は本体ユニット１０に着脱可能である。一例では、洗浄ユニット１００は磁力により本体ユニット１０と結合される。図１は洗浄ユニット１００が本体ユニット１０に取り付けられた状態を示している。洗浄ユニット１００が口腔内の洗浄に用いられる場合、洗浄ユニット１００は本体ユニット１０から取り外される。
【００２０】
装置本体２０のハウジング２１は複数のパーツ２２が結合されることにより構成される。ハウジング２１を構成する材料の一例はＡＢＳ（Acrylonitrile Butadiene Styrene）樹脂である。複数のパーツ２２は上蓋２３、ケース本体３０、底蓋２４、および、配置部４０を含む。各パーツ２２はそれぞれ樹脂材料により個別に構成される成形品である。上蓋２３、底蓋２４、および、配置部４０はそれぞれケース本体３０と結合されている。上蓋２３は装置本体２０の平らな上面２３Ａを構成する。
【００２１】
配置部４０は洗浄ユニット１００が本体ユニット１０に取り付けられた状態において、チューブ８０を配置できるようにケース本体３０と結合されている。配置部４０は凹部４１を含む。凹部４１はチューブ８０を収容できるように構成されている。凹部４１はケース本体３０の正面３０Ａに開口した開口４１Ａを含む。装置本体２０は配置部４０を省略した形態を取り得る。
【００２２】
チューブ８０は例えば伸縮可能にカールしたカールチューブである。チューブ８０を構成する材料の種類、チューブ８０の直径、および、チューブ８０の肉厚は、例えば洗浄ユニット１００を本体ユニット１０の周囲で動かす場合における洗浄ユニット１００の動かしやすさ、および、チューブ８０の耐久性の点から決められることが好ましい。チューブ８０を構成する材料の一例は高い可撓性を有する樹脂材料である。この樹脂材料の一例はＥＶＡ（Ethylene Vinyl Acetate copolymer）である。チューブ８０の直径に関する好ましい範囲の一例は、３．０〜５．０ｍｍである。一例では、チューブ８０の直径は４．０ｍｍである。チューブ８０の肉厚に関する好ましい範囲の一例は０．５〜１．５ｍｍである。一例では、チューブ８０の肉厚は１．０ｍｍである。
【００２３】
洗浄ユニット１００はケース１０１およびノズル１０５を含む。ノズル１０５は洗浄液を吐出できるようにケース１０１に設けられる。ケース１０１を構成する材料の一例はＡＢＳ樹脂である。ケース１０１はグリップ部１０２を含む。グリップ部１０２はユーザが片手でグリップできるように構成されている。ケース１０１は第１端部１０３および第２端部１０４を含む。第１端部１０３は第１端面１０３Ａを含む。第１端面１０３Ａはノズル１０５を取り付けることができるように構成されている。第２端部１０４はケース１０１のうちの第１端部１０３とは反対側の端部である。第２端部１０４は第２端面１０４Ａを含む。チューブ８０は例えば第２端面１０４Ａからケース１０１内に挿入され、ケース１０１内に設けられる洗浄液の通路の入口と接続される。ノズル１０５はその通路の出口と接続される。
【００２４】
洗浄ユニット１００は第１操作部１１０および第１表示部１２０をさらに含む。第１操作部１１０および第１表示部１２０はグリップ部１０２に設けられる。第１操作部１１０の機能は主に洗浄液の吐出に関連する口腔洗浄装置１の動作を選択することである。第１操作部１１０は本体ユニット１０の制御部３３と電気的に接続されている。第１操作部１１０は複数のボタンを含む。複数のボタンは第１ボタン１１１、第２ボタン１１２、第３ボタン１１３、および、第４ボタン１１４を含む。各ボタン１１１〜１１４は例えばグリップ部１０２の正面１０２Ａに設けられ、洗浄ユニット１００の高さ方向に順番に並べられている。
【００２５】
第１ボタン１１１の機能は本体ユニット１０の電源のオンおよびオフを切り替えることである。第２ボタン１１２の機能はケース１０１内に設けられた止水弁（図示略）を開放および閉鎖することである。第２ボタン１１２が操作されることにより止水弁が開放された場合、チューブ８０を流れる洗浄液がノズル１０５の吐出口１０５Ａから吐出される。第２ボタン１１２が操作されることにより止水弁が閉鎖された場合、ノズル１０５の吐出口１０５Ａから洗浄液が吐出されない。第３ボタン１１３の機能はポンプ３１から吐出される洗浄液の水圧を強めることである。第４ボタン１１４の機能はポンプ３１から吐出される洗浄液の水圧を弱めることである。ポンプ３１から吐出される洗浄液の水圧は、第３ボタン１１３および第４ボタン１１４の操作によりポンプ３１の吐出し圧力の範囲内で調節される。ポンプ３１の吐出し圧力に関する好ましい範囲の一例は３．０〜８．０ｋｇｆ／ｃｍ２である。ノズル１０５の吐出口１０５Ａから吐出される洗浄液の水圧は、ポンプ３１から吐出される洗浄液の水圧に応じて変化する。
【００２６】
第１表示部１２０の機能は第１操作部１１０の操作に応じた情報を表示することである。第１表示部１２０はグリップ部１０２に設けられる。一例では、第１表示部１２０は洗浄ユニット１００の高さ方向において、グリップ部１０２の正面１０２Ａのうちの第１操作部１１０の下方に設けられる。第１表示部１２０は液晶ディスプレイを含む。液晶ディスプレイは例えば本体ユニット１０の電源の状態、および、ポンプ３１から吐出される洗浄液の水圧の大きさ等を表示する。このため、ユーザは第１操作部１１０の操作により口腔洗浄装置１の動作状態がどのように変化したかを容易に認識できる。
【００２７】
本体ユニット１０は第２操作部５０および第２表示部６０をさらに含む。第２操作部５０の機能は主に洗浄液の吐出に関連するポンプ３１の動作を選択することである。第２操作部５０は例えば装置本体２０の上面２３Ａに設けられる。第２操作部５０は制御部３３と電気的に接続されている。第２操作部５０は複数のボタンを含む。複数のボタンは第１ボタン５１、第２ボタン５２、および、第３ボタン５３を含む。第１ボタン５１の機能は洗浄ユニット１００の第１ボタン１１１の機能と実質的に同じである。第２ボタン５２の機能は洗浄ユニット１００の第３ボタン１１３の機能と実質的に同じである。第３ボタン５３の機能は洗浄ユニット１００の第４ボタン１１４の機能と実質的に同じである。洗浄ユニット１００および本体ユニット１０のそれぞれにポンプ３１を操作するための操作部５０、１１０が設けられるため、口腔洗浄装置１の操作性が向上する。
【００２８】
第２表示部６０は各操作部５０、１１０の操作に応じた情報を表示することである。第２表示部６０は例えば装置本体２０の上面２３Ａに設けられる。第２表示部６０は複数のＬＥＤ（Light Emitting Diode）ランプを含む。各ＬＥＤランプの点灯状態は第２ボタン５２および第３ボタン５３により調節される洗浄液の水圧に応じて変化する。洗浄ユニット１００の第１表示部１２０は第１操作部１１０の操作に加えて、第２操作部５０の操作によっても表示する情報を変化させる。
【００２９】
図２は口腔洗浄装置１の内部の構成を示す。口腔洗浄装置１は通信部１３０をさらに含む。通信部１３０の機能は洗浄ユニット１００の第１操作部１１０と制御部３３とを通信可能に接続することである。通信部１３０は第１無線通信部１３１および第２無線通信部１３２を含む。第１無線通信部１３１は第１操作部１１０の操作に応じた無線信号を送信できるように洗浄ユニット１００に設けられる。第１無線通信部１３１はグリップ部１０２のうち、通常の使用状態においてユーザの手が触れる部分から離れた部分に設けられることが好ましい。一例では、第１無線通信部１３１はグリップ部１０２における第１端部１０３寄りの部分に設けられる。このため、第１無線通信部１３１と第２無線通信部１３２とが良好な通信状態を維持しやすい。
【００３０】
第２無線通信部１３２は本体ユニット１０の本体回路３２と電気的に接続されている。第２無線通信部１３２は第１無線通信部１３１から送信された無線信号を受信できるように本体ユニット１０に設けられる。一例では、第２無線通信部１３２はケース本体３０のうちの正面３０Ａ側に設けられる。このため、第１無線通信部１３１と第２無線通信部１３２との距離が近づけられ、第１無線通信部１３１と第２無線通信部１３２とが良好な通信状態を維持しやすい。
【００３１】
洗浄ユニット１００は制御回路１０６および電源１０７を含む。制御回路１０６は洗浄ユニット１００の第１操作部１１０と電気的に接続されている。一例では、制御回路１０６は第１ボタン１１１、第３ボタン１１３、および、第４ボタン１１４と電気的に接続されている。制御回路１０６は第１操作部１１０の操作に応じた信号を、第１無線通信部１３１を介して第２無線通信部１３２に出力する。第２無線通信部１３２は第１無線通信部１３１から受信した無線信号を本体ユニット１０の制御部３３に出力する。制御部３３は第２無線通信部１３２が受信した無線信号に応じてポンプ３１を制御する。このため、洗浄ユニット１００と本体ユニット１０とを通信線により接続しなくても洗浄ユニット１００と本体ユニット１０との間で通信でき、口腔洗浄装置１における配線に関連する構成を簡素化できる。
【００３２】
制御部３３は例えば第１無線通信部１３１と第２無線通信部１３２との通信が悪い場合、ポンプ３１の動作を次のように制御する。第１例では、制御部３３はポンプ３１の動作を停止する。この例によれば、洗浄ユニット１００の第１操作部１１０の操作がポンプ３１の動作に正確に反映されないおそれがある場合にポンプ３１の動作が停止するため、ユーザが意図しない圧力の洗浄液が洗浄ユニット１００から吐出される状況が生じにくい。第２例では、制御部３３は洗浄ユニット１００の第１操作部１１０の操作を無効にする。この例によれば、第１例により得られる効果と実質的に同じ効果が得られる。
【００３３】
電源１０７の機能は洗浄ユニット１００を構成する電気的な要素に電力を供給することである。洗浄ユニット１００を構成する電気的な要素は制御回路１０６および第１無線通信部１３１等を含む。このため、洗浄ユニット１００と外部電源とを電力線により接続しなくても第１無線通信部１３１を動作させることができ、口腔洗浄装置１における配線に関連する構成を簡素化できる。電源１０７は例えば洗浄ユニット１００のケース１０１に着脱可能に設けられる。電源１０７の一例は２次電池である。
【００３４】
口腔洗浄装置１は送電部３５および受電部１０８をさらに含む。送電部３５および受電部１０８は非接触電力伝送システムを構成する。送電部３５は本体ユニット１０のケース本体３０内に設けられる。一例では、送電部３５はケース本体３０の正面３０Ａ側に設けられる。受電部１０８は洗浄ユニット１００のケース１０１内に設けられる。一例では、受電部１０８はグリップ部１０２の背面１０２Ｂ側に設けられる。送電部３５および受電部１０８は洗浄ユニット１００が本体ユニット１０に取り付けられた状態において、口腔洗浄装置１の高さ方向における位置が実質的に同じ位置に設けられる。このため、洗浄ユニット１００が本体ユニット１０に取り付けられた状態において、送電部３５と受電部１０８との距離が近づけられる。
【００３５】
送電部３５は電源回路３４と電気的に接続されている。送電部３５は１次コイル（図示略）を含む。受電部１０８は２次コイル（図示略）を含む。一例では、洗浄ユニット１００が本体ユニット１０に取り付けられた状態において送電部３５の１次コイルの磁束が受電部１０８の２次コイルに鎖交することにより、送電部３５から受電部１０８に電力が伝送される。そして、受電部１０８に伝送された電力が電源１０７に供給されることにより２次電池が充電される。なお、洗浄ユニット１００が電源１０７を省略した形態を取る場合、受電部１０８に伝送された電力は洗浄ユニット１００を構成する電気的な要素に供給される。このため、洗浄ユニット１００と外部電源とを電力線により接続しなくても第１無線通信部１３１を動作させることができ、口腔洗浄装置１における配線に関連する構成を簡素化できる。
【００３６】
図１を参照して、口腔洗浄装置１の使用手順の一例について説明する。
口腔洗浄装置１は例えばユーザにより次のように使用される。第１手順では、所定量の洗浄液がタンク７０内に注がれ、タンク７０が装置本体２０に取り付けられる。第２手順では、洗浄ユニット１００が本体ユニット１０から取り外される。第３手順では、例えば洗浄ユニット１００の第１ボタン１１１が操作されることにより口腔洗浄装置１の電源がオンに設定される。口腔洗浄装置１の電源がオンに設定されることにより、ポンプ３１（図２参照）が駆動し始める。第３手順は第２手順よりも前に実行されてもよい。第４手順では、ノズル１０５の吐出口１０５Ａが口腔内に向けられる。第５手順では、洗浄ユニット１００の第２ボタン１１２が操作されることにより吐出口１０５Ａから洗浄液が吐出される。このため、吐出口１０５Ａから吐出された洗浄液により口腔内が洗浄される。
【００３７】
第５手順において吐出口１０５Ａから吐出される洗浄液の水圧が弱いまたは強いと感じた場合、例えば洗浄ユニット１００の第３ボタン１１３または第４ボタン１１４を操作することにより吐出口１０５Ａから吐出される洗浄液の水圧が調節される。ポンプ３１を操作できる第１操作部１１０が洗浄ユニット１００に設けられるため、洗浄ユニット１００により口腔内を洗浄しているときに洗浄ユニット１００から吐出される洗浄液の水圧等を容易に調節できる。このように、口腔洗浄装置１によれば、操作に関するユーザビリティが向上する。なお、口腔洗浄装置１の電源、および、吐出口１０５Ａから吐出される洗浄液の水圧は、本体ユニット１０の第２操作部５０によっても操作可能である。
【００３８】
（変形例）
実施の形態に関する説明は本開示に関する口腔洗浄装置が取り得る形態の例示であり、その形態を制限することを意図していない。本開示は実施の形態以外に例えば以下に示される実施の形態の変形例、および、相互に矛盾しない少なくとも２つの変形例が組み合わせられた形態を取り得る。
【００３９】
・洗浄ユニット１００における第１無線通信部１３１の配置は任意に変更可能である。第１例では、第１無線通信部１３１はグリップ部１０２の第１端部１０３に設けられる。第２例では、第１無線通信部１３１はグリップ部１０２の第２端部１０４に設けられる。第３例では、第１無線通信部１３１はグリップ部１０２における第２端部１０４寄りの部分に設けられる。
【００４０】
・第１操作部１１０の形態は任意に変更可能である。第１例では、第１操作部１１０は各ボタン１１１〜１１４のうちの少なくとも１つがスライド式のスイッチである。第２例では、第１操作部１１０は音声入力部を含む。この例によれば、制御部３３は音声入力部により入力されたユーザの音声に基づいてポンプ３１を制御する。なお、第２操作部５０においても同様の変形例が成立する。
【００４１】
・口腔洗浄装置１に含まれる操作部の数は任意に変更可能である。第１例では、第１ボタン１１１、第３ボタン１１３、および、第４ボタン１１４のうちの１つまたは２つが第１操作部１１０から省略される。この例によれば、第２操作部５０は第１操作部１１０から省略されないボタンの機能と実質的に同じ機能を有するボタン５１〜５３を省略してもよい。第２例では、第１ボタン５１、第２ボタン５２、および、第３ボタン５３のうちの少なくとも１つが第２操作部５０から省略される。
【００４２】
・口腔洗浄装置１は第１表示部１２０および第２表示部６０の少なくとも一方を省略した形態を取り得る。
・本体ユニット１０における送電部３５の配置は任意に変更可能である。一例では、送電部３５はケース本体３０の側面のうちの正面３０Ａとは別の部分に設けられる。この例によれば、洗浄ユニット１００がケース本体３０の側面のうちの送電部３５が配置された部分に近づけられた状態において、送電部３５から受電部１０８に電力が伝送される。口腔洗浄装置１は送電部３５および受電部１０８を省略した形態を取り得る。
【００４３】
・通信部１３０の形態は任意に変更可能である。一例では、通信部１３０は洗浄ユニット１００と本体ユニット１０とを有線で接続する通信線を含む。通信線は例えばチューブ８０内またはチューブ８０とは別のチューブ内を通過するように設けられる。
【産業上の利用可能性】
【００４４】
本開示に関する口腔洗浄装置は、家庭用および業務用をはじめとする各種の口腔洗浄装置に利用できる。
【符号の説明】
【００４５】
１    ：口腔洗浄装置
１０  ：本体ユニット
３１  ：ポンプ
３３  ：制御部
５０  ：第２操作部
８０  ：チューブ
１００：洗浄ユニット
１０２：グリップ部
１０３：第１端部（端部）
１０４：第２端部（端部）
１０７：電源
１０８：受電部
１１０：第１操作部
１２０：第１表示部（表示部）
１３０：通信部
１３１：第１無線通信部
１３２：第２無線通信部
【図１】
2020114546.tif 000003
【図２】
2020114546.tif 000004